【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
カタログファイルの登録依頼がなされた場合、規定単位のカタログデータに分割された状態で前記カタログファイルをデータベースに登録するカタログ登録工程と、
検索に用いる情報を１又は複数の前記規定単位のカタログデータに関連付けて登録管理する工程とを有することを特徴とするカタログ管理方法。
【請求項２】
前記規定単位のカタログデータとは、ページ単位のカタログデータであることを特徴とする請求項１に記載のカタログ管理方法。
【請求項３】
前記検索に用いる情報は、商品情報であることを特徴とする請求項１に記載のカタログ管理方法。
【請求項４】
前記カタログ管理方法は、ネットワークを介して接続されるサーバ装置とクライアント装置を含むネットワークシステムにおけるカタログ管理方法であって、前記カタログファイルの登録依頼は前記クライアント装置から前記サーバ装置に対してなされることを特徴とする請求項１に記載のカタログ管理方法。
【請求項５】
前記登録された規定単位のカタログデータそれぞれについて、有効期限を設定する有効期限設定工程を更に有することを特徴とする請求項１に記載のカタログ管理方法。
【請求項６】
前記検索に用いる情報を用いて、前記規定単位のカタログデータを検索する検索工程を更に有することを特徴とする請求項１に記載のカタログ管理方法。
【請求項７】
前記検索工程での検索結果の中から選択されたカタログデータを１つのカタログファイルとして出力する出力工程を更に有することを特徴とする請求項６に記載のカタログ管理方法。
【請求項８】
前記出力工程では、前記検索工程での検索結果である規定単位のカタログデータを、対応するサムネイル画像を用いて表示し、サムネイル形式で表示されたカタログデータの中からユーザの指示に基づいて選択されたカタログデータを１つのカタログファイルとして出力することを特徴とする請求項７に記載のカタログ管理方法。
【請求項９】
前記出力するカタログファイルの形式が指定されている場合、当該指定されたファイル形式で出力することを特徴とする請求項７に記載のカタログ管理方法。
【請求項１０】
前記出力するカタログファイルをオリジナルカタログファイルとして保存するように指定された場合、その属性情報と共に保存する保存工程を更に有することを特徴とする請求項７に記載のカタログ管理方法。
【請求項１１】
前記保存工程でオリジナルカタログファイルを保存する毎に、当該オリジナルカタログファイルに含まれる前記規定単位のカタログデータそれぞれについて、使用の有無を示すカウンタをカウントアップするカウントアップ工程を更に有することを特徴とする請求項１０に記載のカタログ管理方法。
【請求項１２】
前記保存されているオリジナルカタログファイルを削除する削除工程と、
前記削除工程で削除されたオリジナルカタログファイルに含まれる前記オリジナルカタログファイルに含まれる前記規定単位のカタログデータそれぞれについて、使用の有無を示すカウンタをカウントダウンするカウントダウン工程とを更に有することを特徴とする請求項１１に記載のカタログ管理方法。
【請求項１３】
前記削除工程で前記オリジナルカタログファイルが削除された際に、前記カウンタが０でかつ有効期限の切れた前記規定単位のカタログデータが存在する場合、当該カタログデータを削除するカタログデータ削除工程を更に有することを特徴とする請求項１２に記載のカタログ管理方法。
【請求項１４】
前記オリジナルカタログファイルに対する編集、削除、出力の少なくとも何れかを行う工程を更に有することを特徴とする請求項１０に記載のカタログ管理方法。
【請求項１５】
前記検索に用いる情報は、複数の異なるカタログファイルから選択した複数のカタログデータに関連付けて登録管理できることを特徴とする請求項１に記載のカタログ管理方法。
【請求項１６】
前記検索に用いる情報に関連付けられたカタログデータを、対応するサムネイル画像を用いて表示する工程を更に有することを特徴とする請求項６に記載のカタログ管理方法。
【請求項１７】
前記カタログデータをネットワーク上で公開するか否かを設定できることを特徴とする請求項１に記載のカタログ管理方法。
【請求項１８】
カタログファイルの登録依頼がなされた場合、規定単位のカタログデータに分割された状態で前記カタログファイルをデータベースに登録するカタログ登録手段と、
検索に用いる情報を１又は複数の前記規定単位のカタログデータに関連付けて登録管理する手段とを有することを特徴とする情報処理装置。
【請求項１９】
ネットワークを介して接続されるサーバ装置と、クライアント装置と、データベースとで構成されるネットワークシステムであって、
前記サーバ装置は、
前記クライアント装置からカタログファイルの登録依頼がなされた場合、規定単位のカタログデータに分割された状態で前記カタログファイルを前記データベースに登録するカタログ登録手段と、前記クライアント装置からの指示に基づいて検索に用いる情報を１又は複数の前記規定単位のカタログデータに関連付けて登録管理する手段とを有することを特徴とするネットワークシステム。
【請求項２０】
請求項１記載のカタログ管理方法をコンピュータに実行させるためのプログラム。
【請求項２１】
請求項２０記載のプログラムを記録したコンピュータ読み取り可能な記録媒体。
【手続補正２】
【補正対象書類名】明細書
【補正対象項目名】０００７
【補正方法】変更
【補正の内容】
【０００７】
本発明は、上記課題を解決するためになされたもので、カタログの商品情報をページ毎のカタログデータに関連付けて管理することを目的とする。
【手続補正３】
【補正対象書類名】明細書
【補正対象項目名】０００８
【補正方法】変更
【補正の内容】
【０００８】
本発明のカタログ管理方法は、カタログファイルの登録依頼がなされた場合、規定単位のカタログデータに分割された状態で前記カタログファイルをデータベースに登録するカタログ登録工程と、検索に用いる情報を１又は複数の前記規定単位のカタログデータに関連付けて登録管理する工程とを有することを特徴とする。
【手続補正４】
【補正対象書類名】明細書
【補正対象項目名】０００９
【補正方法】変更
【補正の内容】
【０００９】
また、本発明の情報処理装置は、カタログファイルの登録依頼がなされた場合、規定単位のカタログデータに分割された状態で前記カタログファイルをデータベースに登録するカタログ登録手段と、検索に用いる情報を１又は複数の前記規定単位のカタログデータに関連付けて登録管理する手段とを有することを特徴とする。
【手続補正５】
【補正対象書類名】明細書
【補正対象項目名】００１０
【補正方法】変更
【補正の内容】
【００１０】
更に、本発明のネットワークシステムは、ネットワークを介して接続されるサーバ装置と、クライアント装置と、データベースとで構成されるネットワークシステムであって、前記サーバ装置は、前記クライアント装置からカタログファイルの登録依頼がなされた場合、規定単位のカタログデータに分割された状態で前記カタログファイルを前記データベースに登録するカタログ登録手段と、前記クライアント装置からの指示に基づいて検索に用いる情報を１又は複数の前記規定単位のカタログデータに関連付けて登録管理する手段とを有することを特徴とする。